(57)【特許請求の範囲】
【請求項１】
入力音声に対して音声認識処理を行って、複数の文字からなる認識結果としての文字列データを得る第１の音声認識手段と、
入力される修正用音声に対して音声認識処理を行って、１文字以上のｎ文字からなる修正用データを得る第２の音声認識手段と、
前記第１の音声認識手段によって得られた前記文字列データの一部であって異なる箇所のそれぞれを前記第２の音声認識手段によって得られた前記修正用データに置き換えて複数の修正候補データを生成する文字列置き換え手段と、
前記文字列置き換え手段によって生成された前記複数の修正候補データを通知する修正候補通知手段と、
前記修正候補通知手段によって通知された前記複数の修正候補データの中から、利用者の操作に応じていずれかを選択する修正箇所選択手段と、
を備え、前記修正箇所選択手段によって選択された前記修正候補データを用いて、前記第１の音声認識手段による認識結果の修正を行うことを特徴とする音声認識修正方式。
【請求項２】
請求項１において、
前記第１の音声認識手段による音声認識処理に用いられる音声認識辞書と、
前記修正箇所選択手段によって選択された前記修正候補データに基づいて、前記音声認識辞書の内容を更新する辞書更新手段と、
を備えることを特徴とする音声認識修正方式。
【請求項３】
請求項２において、
前記修正候補通知手段は、前記文字列置き換え手段によって生成された前記複数の修正候補データのそれぞれが、前記音声認識辞書に音声認識の対象となる文字列として予め登録されているか否かを判定し、登録されていた前記修正候補データのみを通知対象とすることを特徴とする音声認識修正方式。
【発明の詳細な説明】
【０００１】
【発明の属する技術分野】
本発明は、音声認識処理の結果得られた文字列の一部に誤りがある場合にこの誤り部分の修正を行う音声認識修正方式に関する。
【０００２】
【従来の技術】
最近の車載用機器、例えばナビゲーション装置やオーディオ機器に各種の操作指示を与える方法としては、利用者が操作パネルやリモートコントロール（リモコン）ユニットに備わった各種のキーを押下する方法の他に、利用者によって発せられた操作音声の内容を音声認識することによって行う方法がある。この操作音声の内容を音声認識する方法によれば、利用者は、各種の操作キーの配置等を覚える必要がなく、しかも走行中に車両が振動した状態でキーの操作を行わないですむため、操作の簡略化が可能である。また、操作音声の内容を音声認識する方法は、特に最近のプロセッサの高速化等に伴って比較的精度の高い音声認識処理が可能になりつつあるため、音声認識を用いた操作指示方法は、車載用機器についても汎用されている。
【０００３】
ところで、音声認識の対象となる操作音声をマイクロホンによって集音する場合に、同時にロードノイズやエンジンノイズ等が操作音声とともに集音されるため、静かな環境下で音声を集音する場合に比べて音声認識の認識率が低下する。したがって、通常は誤認識した音声の内容を修正する必要がある。認識結果として得られた文字列の一部に誤りがあった場合には、利用者は、再度同じ内容の音声を少し声の調子を変えて、例えば明瞭に発音するようにして発声し、２回目の音声認識処理が行われる。このようにして、同じ音声に対して何度か音声認識処理を繰り返すことにより、最終的に正しい認識結果としての文字列が得られるようになる。
【０００４】
【発明が解決しようとする課題】
ところで、上述した従来の音声認識結果の修正方法は、利用者が同じ音声を発声してその内容に対して音声認識処理が繰り返されるため、認識率が悪い単語を発声した場合に、何度も同じ音声の発声を繰り返すことになり、修正に手間がかかるという問題があった。例えば、認識結果としての文字列を表示させ、その中の修正箇所にカーソルを移動して、直接キーボード等から修正データを入力することができればこのような不都合は生じないが、車載用機器の操作を音声認識処理を用いて行う場合には、利用者による５０音等のキー入力が容易ではないため、音声を入力することによって効率よく認識結果の修正を行う方法が望まれている。
【０００５】
本発明は、このような点に鑑みて創作されたものであり、その目的は、誤認識された文字を効率良く修正することができる音声認識修正方式を提供することにある。
【０００６】
【課題を解決するための手段】
上述した課題を解決するために、本発明の音声認識修正方式では、第１の音声認識手段によって、入力音声に対して音声認識処理を行って、複数の文字からなる認識結果としての文字列データを得るとともに、第２の音声認識手段によって、この得られた文字列データの中の誤認識箇所を修正するために入力された修正用音声に対して音声認識処理を行って、１文字以上のｎ文字からなる修正用データを取得している。そして、上述した第１の音声認識手段によって得られた文字列データの一部を、上述した第２の音声認識手段によって得られた修正用データに置き換えている。誤認識箇所を修正する際に、上述した第２の音声認識装置によって音声認識処理を行うことにより、１文字以上のｎ文字からなる修正用データを取得しているので、従来のように、修正用データを入力する際にキーボード等の操作部を操作する必要がなく誤認識箇所を修正する際の操作の簡略化が可能となる。また、誤認識された箇所に対応して修正に必要な音声のみを入力して認識結果の修正を行っているので、従来のように認識させたい音声を声の調子等を変えて何度も入力する手間が省け、効率よく認識結果の修正を行うことができる。
【０００７】
また、修正候補通知手段によって、文字列データの中で修正用データに置き換えが可能な修正箇所を通知し、修正箇所選択手段によって、この通知された１あるいは複数の修正箇所の中から、利用者の操作に応じていずれかを選択することが望ましい。修正用データによって置き換えが可能な修正箇所であるか否かの判断については、例えば、置き換えが行われた文字列データが、一般的に用いられる言葉（単語）として存在するか否かを調べることにより判断すればよい。また、特定の操作指示等に対応する音声のみを音声認識の対象としている場合であれば、特定の操作指示に対応した言葉の中に、置き換え後の文字列が含まれるか否かを判断してもよい。このように、文字列データの一部を修正用データに置き換えることが可能な修正箇所だけを通知し、置き換えが不可能な修正箇所については通知しないようにすることで、通知する必要のない情報を排除することができ、修正箇所に関する通知が煩雑になることを防ぐことができる。また、通知された１あるいは複数の修正箇所の中から修正箇所として適しているものを利用者の操作に応じて選択することにより、利用者の意図に沿った修正内容を確実に反映させることができる。
【０００８】
また、上述した第１の音声認識手段による音声認識処理に用いられる音声認識辞書を備え、文字列置き換え手段によって修正用データの置き換えが行われた修正後の文字列データに基づいて、音声認識辞書の内容を更新することが望ましい。文字列データの修正が行われたということは、もとの文字列データに対応した音声に対する認識率が低いということなので、この音声に対応する音声認識辞書の内容を修正後の文字列データに基づいて更新することにより、認識率を向上させることができる。
【０００９】
【発明の実施の形態】
以下、本発明の音声認識修正方式を適用した一実施形態の音声認識装置およびこの音声認識装置を含んで構成された車載用システムについて図面を参照しながら説明する。
【００１０】
〔第１の実施形態〕
図１は、第１の実施形態の車載用システムの構成を示す図である。図１に示す車載用システムは、利用者から音声により与えられる各種の入力指示に対応してナビゲーション処理等の各種動作を行うものであり、利用者が発した音声に対して音声認識処理を行って利用者の発声した音声に対応する文字列を特定する音声認識装置１と、自車位置を検出して自車位置周辺の地図を表示したり、利用者によって選択された目的地までの経路探索および経路誘導等を行うナビゲーション装置２と、音声認識装置１から出力される音声認識結果やナビゲーション装置２から出力される自車位置周辺の地図画像等を表示するディスプレイ装置３と、音声認識装置１から出力される音声認識結果やナビゲーション装置２から出力される各種の案内音声等を出力するオーディオ部４とを備えている。
【００１１】
上述した音声認識装置１は、マイクロホン１０、音声認識部１２、音声認識辞書１４、修正用音声認識部１６、修正用辞書１８、文字列置換部２０、修正候補検索部２２、修正候補格納部２４、認識結果判定部２６、画像生成部２８、辞書更新部３０を含んで構成されている。
【００１２】
マイクロホン１０は、利用者から発声された音声を集音して電気信号に変換する。音声認識部１２は、音声認識辞書１４を検索することにより、マイクロホン１０を介して入力された音声信号に対して音声認識処理を行い、利用者が発声した音声に対応する文字列データを特定する。
【００１３】
修正用音声認識部１６は、音声認識結果を修正する際に必要な修正用音声が入力されたときに、修正用辞書１８を検索することにより、この修正用音声に対して音声認識処理を行い、修正用音声に対応する文字データ（これを、以後「修正用データ」と称する）を特定する。本実施形態では、修正用音声として１音の文字を考えるものとする。
【００１４】
文字列置換部２０は、音声認識部１２によって特定された文字列データと修正用音声認識部１６によって特定された修正用データとを取得し、文字列データに含まれる各文字データを修正用データに置換した文字列データを生成する。具体的には、例えば、音声認識部１２によって特定された文字列データが「たきざわ」であり、修正用音声認識部１６によって特定された修正用データが「か」であるとすると、文字列置換部２０は、文字列データ「たきざわ」に含まれる文字データ「た」と修正用データ「か」を置換した文字列データ「かきざわ」と、文字列データ「たきざわ」に含まれる文字データ「き」と修正用データ「か」を置換した文字列データ「たかざわ」と、文字列データ「たきざわ」に含まれる文字データ「ざ」と修正用データ「か」を置換した文字列データ「たきかわ」と、文字列データ「たきざわ」に含まれる文字データ「わ」と修正用データ「か」を置換した文字列データ「たきざか」とを生成する。
【００１５】
修正候補検索部２２は、音声認識辞書１４を検索し、文字列置換部２０によって生成された各文字列データ（置換処理後の各文字列データ）が、音声認識の対象となる文字列として音声認識辞書１４に登録されているか否かを調べる。各文字列データが音声認識辞書１４に登録されていた場合には、修正候補検索部２２は、その文字列データを「修正候補データ」として修正候補格納部２４に格納する。
【００１６】
認識結果判定部２６は、音声認識部１２によって得られた音声認識結果を利用者に対して通知し、利用者から与えられる指示入力に基づいて音声認識結果の適否を判定して出力する。また、音声認識結果が誤っていた場合には、認識結果判定部２６は、修正候補検索部２２によって抽出された音声認識結果の修正候補を利用者に対して通知し、利用者から与えられる指示入力に基づいて最適な修正結果を判定して出力する。この認識結果判定部２６によって判定された音声認識結果または最適な修正結果が、音声認識装置１からの出力としてナビゲーション装置２に向けて出力される。
【００１７】
画像生成部２８は、認識結果判定部２６から与えられる指示に基づいて、音声認識結果や音声認識結果の修正候補等の各種画像を表示するための画像データを生成する。画像生成部２８によって生成され表示される画像の具体的な表示例については後述する。
【００１８】
辞書更新部３０は、認識結果判定部２６から出力される情報に基づいて音声認識結果に対して修正が行われたか否かを調べ、修正が行われた場合には、修正結果に基づいて音声認識辞書１４に格納されたデータの内容を更新する。
【００１９】
上述した音声認識部１２、音声認識辞書１４が第１の音声認識手段に、修正用音声認識部１６、修正用辞書１８が第２の音声認識手段に、文字列置換部２０が文字列置き換え手段に、修正候補検索部２２、修正候補格納部２４、認識結果判定部２６、画像生成部２８、ディスプレイ装置３が修正候補通知手段に、認識結果判定部２６が修正箇所選択手段に、辞書更新部３０が辞書更新手段にそれぞれ対応している。
【００２０】
本実施形態の車載用システムは上述した構成を有しており、次に、音声認識装置１において行われる音声認識処理について詳細に説明する。図２および図３は、音声認識装置１において行われる音声認識処理の動作を示す流れ図である。例えば、ナビゲーション装置２に対して、経路探索を行う際の出発地名や目的地名を音声で入力する場合を考え、利用者により音声入力された文字列「かきざわ」が文字列「たきざわ」に誤認識され、これを文字列「かきざわ」に修正する際の動作について説明する。
【００２１】
音声認識部１２は、マイクロホン１０を介して利用者から音声入力が行われたか否かを判定する（ステップ１００）。音声入力が行われるまで、ステップ１００において否定判断がなされて待機状態となる。音声入力が行われると、音声認識部１２は、音声認識辞書１４を用いて音声認識処理を行い、利用者が発声した音声に対応する文字列データを特定する（ステップ１０１）。上述した例では、文字列データとして「たきざわ」が特定される。音声認識部１２によって得られた音声認識結果は認識結果判定部２６に出力される。
【００２２】
認識結果判定部２６は、音声認識結果を表示するための画像データを生成するよう画像生成部２８に指示を行うとともに、音声認識結果を音声で出力するための音声データを生成してオーディオ部４に出力する。この結果、ディスプレイ装置３の画面上に音声認識結果が表示されるとともに、オーディオ部４から音声認識結果に対応する音声が出力され、音声認識結果が利用者に対して通知される（ステップ１０２）。
【００２３】
図４は、音声認識結果の表示例を示す図である。図４に示すように、ディスプレイ装置３の画面上に、音声認識結果が「たきざわ」である旨の表示と、この音声認識結果が誤っている場合には修正用音声を入力するように促す表示とが行われる。また、図４に示したような表示と並行して、オーディオ部４から、例えば、「音声認識結果は「たきざわ」でよろしいですか？」等のアナウンスが出力される。
【００２４】
上述したようにして利用者に対して音声認識結果が通知されると、認識結果判定部２６は、一定時間（例えば、３０秒間）が経過したか否かを判定し（ステップ１０３）、一定時間が経過していない場合には、音声入力が行われたか否かを判定する（ステップ１０４）。音声入力が行われずに一定時間が経過すると、ステップ１０３において肯定判断がなされ、認識結果判定部２６は、音声認識結果をナビゲーション装置２に向けて出力する（ステップ１０５）。また、一定時間が経過する前に利用者によって音声入力が行われた場合には、ステップ１０４において肯定判断がなされ、認識結果判定部２６は、入力された音声が一文字であるか否かを判定する（ステップ１０６）。例えば、入力された音声が一文字であるか否かについては修正用音声認識部１６が常に監視しており、認識結果判定部２６は、修正用音声認識部１６から得られる情報に基づいて、入力音声が一文字であるか否かを判定する。
【００２５】
入力音声が一文字でない場合には、ステップ１０６において否定判断がなされ、認識結果判定部２６は、入力された音声は認識結果修正用の音声ではなく、次の操作指示等に関する音声であると判断し、上述したステップ１０１において得られた音声認識結果をナビゲーション装置２に向けて出力する（ステップ１０７）。その後、ステップ１０１に戻り、次の操作指示等に関する入力音声（ステップ１０４での判定処理の対象となった入力音声）に対して音声認識処理以降の動作を行う。
【００２６】
また、入力された音声が一文字であった場合には、修正用音声認識部１６は、入力された音声が認識結果修正用の音声であると判断し、この音声に対して修正用辞書１８を用いて音声認識処理を行い、この音声に対応する修正用データを特定する（ステップ１０８）。上述した例では、誤認識されている「たきざわ」を「かきざわ」に修正するために利用者によって「か」が音声入力されるので、この音声「か」に対して音声認識処理が行われ、対応する修正用データが特定される。
【００２７】
次に、文字列置換部２０は、修正対象となる文字列データを音声認識部１２から取得するとともに、修正用データを修正用音声認識部１６から取得する（ステップ１０９）。その後、文字列置換部２０は、修正対象の文字列データに含まれる最初の文字データを修正用データと置換し、修正候補検索部２２に出力する（ステップ１１０）。上述した例では、修正対象の文字列データ「たきざわ」の最初の文字データ「た」が修正用データ「か」に置換されて生成された文字列データ「かきざわ」が出力される。
【００２８】
修正候補検索部２２は、音声認識辞書１４を検索し、文字列置換部２０から出力された文字列データ（置換後の文字列データ）が音声認識の対象となる文字列として音声認識辞書１４に登録されているか否かを調べる（ステップ１１１）。置換後の文字列データが音声認識辞書１４に登録されている場合には、修正候補検索部２２は、この文字列データを修正候補データとして修正候補格納部２４に格納する（ステップ１１２）。また、置換後の文字列データが音声認識辞書１４に登録されていない場合には、ステップ１１１において否定判断がなされ、この場合には、修正候補検索部２２は、ステップ１１２に示した修正候補データの格納動作を行わない。
【００２９】
次に、文字列置換部２０は、修正対象の文字列データに含まれる最後の文字データが修正用データに置き換えられたか否かを調べることにより、文字列の置換処理が完了したか否かを判定する（ステップ１１３）。置換処理が完了していない場合には、ステップ１１３において否定判断がなされ、文字列置換部２０は、次に置換処理の対象となる文字データを修正用データと置換する（ステップ１１４）。上述した例では、文字列データ「たきざわ」の２文字目の文字データ「き」が修正用データ「か」と置換され、文字列データ「たかざわ」が出力される。また、２回目以降の処理では、文字列データ「たきざわ」の３文字目の文字データ「ざ」が修正用データ「か」と置換された文字列データ「たきかわ」、および文字列データ「たきざわ」の最後の文字データ「わ」が修正用データ「か」と置換された文字列データ「たきざか」がそれぞれ出力される。置換処理が行われると、ステップ１１１に戻って、置換後の文字列データが音声認識辞書１４に格納されているか否かの判定以降の動作が繰り返される。
【００３０】
置換処理が完了するとステップ１１３において肯定判断がなされ、次に、認識結果判定部２６は、修正候補格納部２４に修正候補データが格納されているか否かを判定する（ステップ１１５）。修正候補データが格納されていた場合には、認識結果判定部２６は、この修正候補データを読み出し、画像生成部２８に指示を送り、修正候補の表示を行う（ステップ１１６）。図５は、修正候補の表示例を示す図であり、修正候補データとして、「かきざわ」、「たかざわ」、「たきかわ」、「たきざか」の各々に対応する文字列データが格納されていた場合の表示例を示している。図５に示すように、各修正候補に対して、「１：かきざわ」、「２：たかざわ」、「３：たきかわ」、「４：たきざか」というように番号が付加されて表示が行われるとともに、最適な修正結果に対応する番号を選択するよう利用者に対して促す表示が行われる。
【００３１】
表示された修正候補の中から修正結果として適するものが利用者により選択されると、認識結果判定部２６は、選択された修正候補に対応する修正候補データを音声認識結果としてナビゲーション装置２に向けて出力する（ステップ１１７）。上述した例では、１番の「かきざわ」が利用者によって選択されるものとする。なお、利用者による修正候補の選択方法としては、各修正候補に付加しておいた番号を所定の操作部（図示せず）を介して利用者に選択させるようにしてもよく、また、利用者に番号を音声入力してもらい、これに対して音声認識処理を行って修正候補を選択するようにしてもよい。
【００３２】
次に、辞書更新部３０は、修正後の音声認識結果に関する情報を認識結果判定部２６から取得し、この音声認識結果に対応して音声認識辞書１４の内容を更新する（ステップ１１８）。音声認識辞書１４の内容の更新が行われた後は、ステップ１００に戻り、音声入力が行われたか否かの判定以降の動作が繰り返される。
【００３３】
また、上述したステップ１１５において、修正候補が格納されていなかった場合には、修正対象の文字列データに２箇所以上の誤認識箇所が含まれている等の理由により修正候補が抽出不可能であったと考えられるので、認識結果判定部２６は、画像生成部２８に指示を送り、利用者に対して、音声認識結果の修正ができなかったことを知らせ、音声入力を再度行うよう促すエラー通知を表示する（ステップ１１９）。エラー通知が行われると、ステップ１００に戻り、音声入力が行われたか否かの判定以降の動作が繰り返される。
【００３４】
このように、本実施形態の音声認識装置１では、音声認識部１２によって得られた文字列データに含まれる誤認識箇所に対する修正を行う場合に、修正用音声認識部１６によって音声認識処理を行って修正用データを取得し、この修正用データを音声認識部１２によって得られた文字列データの一部と置き換えることにより誤認識箇所の修正を行っている。したがって、従来のように認識させたい文字列データに対応する音声を声の調子等を変えて何度も入力する等の手間がなく、効率よく認識結果の修正を行うことができる。また、修正用データの入力を音声入力により行っているので、キーボード等の操作部を用いる必要がなく、操作を簡略化することができる。また、音声認識部１２によって得られた文字列データの一部を修正用データと置き換える際に、置き換えが行われた文字列データが音声認識辞書１４に登録されているか否かを調べることにより、登録されている文字列データだけを抽出して利用者に通知している。すなわち、文字列データの一部を修正用データに置き換えることが可能な修正箇所だけを利用者に通知しているということであり、修正箇所に関する通知内容が煩雑になるのを防ぐことができる。また、修正箇所として適しているものを利用者の操作に対応して選択しているので、利用者の意図に沿った修正を確実に行うことができる。しかも、認識結果に対して修正を行った場合には、この修正結果に対応して音声認識辞書１４の内容を更新しているので、音声認識処理を繰り返し行うことにより認識率を向上させることができるという利点も有する。
【００３５】
〔第２の実施形態〕
ところで、上述した第１の実施形態では、音声認識結果に含まれる誤認識箇所が一文字のみの場合について説明したが、同様な処理手順により複数の文字が誤認識されている場合についても音声により修正を行うことができる。
【００３６】
図６および図７は、図１に示した音声認識装置１において行われる音声認識処理の動作の変形例を示す流れ図であり、音声認識処理によって得られた文字列データの中の一文字以上のｎ文字について修正を行う場合の動作手順が示されている。図６および図７に示した動作手順は、図２および図３に示した動作手順に対して、入力音声が一文字であるか否かを判定するステップ１０６の動作を、利用者による修正指示があったか否かを判定するステップ１０６Ａの動作に置き換えるとともに、修正対象の文字列データに含まれる最初の文字データを修正用データに置き換えるステップ１１０の動作を、文字列データの最初のｎ文字を修正用データに置き換えるステップ１１０Ａの動作に置き換えた点が異なっている。
【００３７】
すなわち、上述した第１の実施形態では、入力音声が一文字であるか否かを判定することによって、この入力音声が修正用の音声なのか、それとも次の通常の操作用の音声なのかを区別していたため、修正用の音声として複数文字が許容される場合には、このような区別を行うことができなくなる。このため、利用者によって何らかの修正指示がなされた後に入力された音声を修正用の音声として取り扱うことにしている。
【００３８】
修正用音声の入力に先立って、利用者による修正指示がなされない場合には、ステップ１０６Ａの判定動作において否定判断が行われ、次に、認識結果判定部２６は、入力された音声が認識結果修正用の音声ではなく、次の操作指示等に関する音声であると判断し、認識結果をナビゲーション装置２に向けて出力するステップ１０７以降の動作が行われる。
【００３９】
一方、修正用音声の入力に先立って、利用者による修正指示がなされた場合には、ステップ１０６Ａの判定動作において肯定判断が行われ、次に、修正用音声認識部１６は、入力された音声が認識結果修正用の音声であると判断し、この音声に対する音声認識処理を行うステップ１０８以降の動作が行われる。
【００４０】
また、利用者によって修正指示を行う具体的な方法としてはいくつかの方法が考えられる。例えば、操作部（図示せず）の特定キーが押下されたときに修正指示がなされたものと判定したり、利用者が特定の言葉をマイクロホン１０に向かって発声したときに修正指示がなされたものと判定する場合などが考えられる。
【００４１】
このように、認識結果としての文字列データの修正を行う際に、利用者に何らかの意思表示をさせることにより、複数文字（一文字であってもよい）を対象にした修正が可能になる。
【００４２】
また、利用者によって修正指示がなされた後に入力される修正用の音声の文字数ｎは、あらかじめ設定された固定値を用いることもできるが、その都度自由に設定するようにしてもよい。例えば、特に修正用文字の文字数ｎが設定されておらず、修正用音声に対する音声認識処理によって得られた修正用データの文字数をこのｎの値として採用するようにしてもよい。この場合には、認識結果としての文字列の誤り箇所を利用者が判断し、その都度最適な文字数の修正用音声をマイクロホン１０に向かって発声すればよいため、さらに効率よく認識結果の修正を行うことができる。
【００４３】
なお、本発明は上記実施形態に限定されるものではなく、本発明の要旨の範囲内において種々の変形実施が可能である。例えば、上述した実施形態では、車載用システムにおいて、本発明を適用した音声認識装置１を用いてナビゲーション装置２に対して所定の指示入力を行う場合について説明したが、これ以外にも、例えば、オーディオ装置等の他の車載用機器に対して所定の指示入力を行うようにしてもよい。また、車載用システム以外の各種システム、例えば、パーソナルコンピュータやワークステーション等の各種コンピュータに対して各種の指示入力を行うような場合においても、本発明を適用することができる。
【００４４】
【発明の効果】
上述したように、本発明によれば、音声認識処理の結果得られた文字列の一部に誤認識箇所がある場合に、所定文字数の修正用音声を入力し、この修正用音声に対して音声認識処理を行って修正用データを取得し、文字列データに含まれる誤認識箇所をこの修正用データに置き換えることにより認識結果の修正を行っているため、従来のように認識させたい文字列データに対応する音声を声の調子等を変えて何度も入力する等の手間がなく、効率よく認識結果の修正を行うことができる。また、修正用データの入力を音声入力により行っているので、キーボード等の操作部を用いる必要がなく、操作を簡略化することができる。
【図面の簡単な説明】
【図１】第１の実施形態の車載用システムの構成を示す図である。
【図２】音声認識装置において行われる音声認識処理の動作を示す流れ図である。
【図３】音声認識装置において行われる音声認識処理の動作を示す流れ図である。
【図４】音声認識結果の表示例を示す図である。
【図５】修正候補の表示例を示す図である。
【図６】音声認識装置において行われる音声認識処理の変形例の動作を示す流れ図である。
【図７】音声認識装置において行われる音声認識処理の変形例の動作を示す流れ図である。
【符号の説明】
１  音声認識装置
２  ナビゲーション装置
３  ディスプレイ装置
４  オーディオ部
１０  マイクロホン
１２  音声認識部
１４  音声認識辞書
１６  修正用音声認識部
１８  修正用辞書
２０  文字列置換部
２２  修正候補検索部
２４  修正候補格納部
２６  認識結果判定部
２８  画像生成部
３０  辞書更新部
【図１】
0003718088.tif 000002
【図２】
0003718088.tif 000003
【図３】
0003718088.tif 000004
【図４】
0003718088.tif 000005
【図５】
0003718088.tif 000006
【図６】
0003718088.tif 000007
【図７】
0003718088.tif 000008